Podtech/llm-jp-corpus-v4-ja_patent huggingface dataset:
(57)【要約】      （修正有）【課題】異機種の工具器具を使用することなく、多目的な用途に応用可能な回転工具を提供する。    【解決手段】環状の装着部と、一方向に回転するが反対方向には回転できないように、ラチェット機構を介して環状装着部の外周に嵌められた操作部と、この操作部を有するハンドル４と、を備えた回転工具であって、ラチェットの回転軸１の端部にＣクランプの横棒状体に装着するための一対のＵ字型溝２が形成されている。【選択図】図２
0003205224.tif 000002
【実用新案登録請求の範囲】
【請求項１】
円筒状装着部と、この環状の装着部と、一方向に回転するが反対方向には回転できないように、ラチェット機構を介して前記装着部の外周に嵌められた操作部に、この操作部有するハンドルと、を備えた回転工具であって、前記の端部には棒状体に装着するための一対のU字型溝を形成されている回転工具のラチェットを特徴とする。  
【考案の詳細な説明】
【技術分野】
【０００１】
従来のラチェット機構を有する回転工具を改良したものに関するものである。
【背景技術】
【０００２】
従来の器具は、ボルト締めでCクランプ蝶ナットボルトを使う機会が多く一度に使用できる。
【先行技術文献】
【特許文献】
【０００３】
【特許文献１】特開２０１６−１６５０６号
【考案の概要】
【考案が解決しょうとする課題】
【０００４】
装着部に一対のU字溝を形成する事により、ソケットリング工具を多目的な
用途に応用できるようにした。従来は例えば特許文献１に記載されている用にボルトなどの頭部に装着して使用するものである    
【課題を解決するための手段】
【０００５】
作業性の向上を図る為、異種類の工具器具の使用を避け溝部分を設けラチェットの多角形ボルトを締める要領に合わせ回転軸先端部分を回転させる事により手軽に作業終了させる。        
【考案の効果】
【０００６】
例えばボルトは従来と同様にして回転させることができる。また横棒を有するCクランプなどは、この横棒を装着部のU字型溝に嵌めて回転させることができる。            
【図面の簡単な説明】
【０００７】
【図１】全体図及回転対象の図
【図２】図１より回転軸にU字溝を形成した拡大図である。
【考案を実施するための最良の形態】
【０００８】
装着部を中心にハンドルを左右に動かすことにより緩みを手動によりボルト他のネジを調整備える事が簡単に維持できる。          
【実施例】
【０００９】
図１は、回転工具１の斜視図である。回転工具は、環状の装着部２との装着部を外周にラチェト機能を介して嵌められた。操作部とこの操作部と回転させる回転方向操作するスイッチである。操作部はない周面にボルト頭に嵌め付け為の例えば６角形状が形成され、端部の１８０度離れた位置にU字型溝２を一対に有しているなお、符号３は操作部の全体図及びラチェットの構造部分に溝を成形し正反対のネジの締め、緩みを促し１ラチェット本体回転軸Bボルト及びナット、Aスクリュウワッシャー、２、Cクランプ蝶ネジに合わせ４ハンドルにより手動に締め付きや緩みを調整する。
【符号の説明】
【００１０】
１    ラチェットの回転軸
２    U字型の溝部分
３    締め、緩みの切り替え部分
４    ハンドル
A    スクリュウワッシャー専用ナット
A    スクリュウワッシャー又はカットスクリュウ
B    ボルト及びナット
C    蝶ナット
D    Cクランプ  
【図１】
0003205224.tif 000003
【図２】
0003205224.tif 000004
【手続補正書】
【提出日】平成28年3月29日(2016.3.29)
【手続補正１】
【補正対象書類名】実用新案登録請求の範囲
【補正対象項目名】全文
【補正方法】変更
【補正の内容】
【実用新案登録請求の範囲】
【請求項１】
環状の装着と、この環状の装着と、一方向に回転するが反対方向には回転できないように、ラジェト機構を介して前記環状装着部の外周に嵌められた操作部と、この操作部を有するハンドルと、を備えた回転工具であって、ラジェトの回転軸の端部には棒状体に装着するための一対のＵ字型溝を形成されていることを特徴とする回転工具。
(57)【要約】      （修正有）【課題】バーチャルリアリティー上で複数の人物・物体同士が直接触れることを可能にするシステムを提供する。【解決手段】モーションセンサーを装着した人物・物体の情報を、サーバーを介して、バーチャルリアリティー上の人物・物体に同期させ、ディスプレイを通して装着者に視認させることで、直接触れる体験を装着者に与えることを可能とする。【選択図】図１
0003205229.tif 000002
【実用新案登録請求の範囲】
【請求項１】
モーションセンサーを装着した人物・物体の情報をバーチャルリアリティー上の人物・物体に同期させ、ディスプレイを通して装着者に視認させることで、直接触れる体験を装着者に与えることを可能とするシステム。
【考案の詳細な説明】
【技術分野】
【０００１】本考案は、モーションセンサーを用いたバーチャルリアリティー技術に関するものである。
【背景技術】
【０００２】モーションセンサーはＣＧ映画やゲームなどのキャラクターを動作させるための位置・姿勢測位装置として実用されている。【０００３】しかし、測位対象が重なると測位性能が落ちる等の理由や、ゲームコンテンツ等を１人で利用するなどの理由により、これまで複数人物が直接触れ合うという利用方法はなされていなかった。
【考案の概要】
【考案が解決しようとする課題】
【０００４】解決しようとする問題点は、バーチャルリアリティー上で複数の人物・物体同士が直接触れることができない点である。
【課題を解決するための手段】
【０００５】本考案は、人物・物体に位置・姿勢測位用のモーションセンサーを装着し、バーチャルリアリティー上の人物・物体の位置・姿勢と現実上の人物・物体の位置・姿勢を同期させ、直接触れることを可能にすることを最も主要な特徴とする。
【考案の効果】
【０００６】バーチャルリアリティー上の人物・物体に直接触れる体験をモーションセンサーの装着者に与え、より一層の没入感を体験できる利点がある。
【図面の簡単な説明】
【０００７】
【図１】バーチャルリアリティーと現実の同期方法を示した説明図である。
【図１】
0003205229.tif 000003
(57)【要約】      （修正有）【課題】足、手の湿疹、特に水分を好む水虫対策として、汗や水分除去を目的とするのと同時に、湿疹になってしまって、薬を塗った後、装着するのに好適な、使い捨て足、手のカバーを提供する。【解決手段】水虫や湿疹の為の使い捨て足、手のカバーであって、前記カバーは、指を通す五本指の部分を有し、その指の頭はカットされている構造を有し、前記カバーは、吸水性能のある素材または、紙から構成される。【選択図】図１
0003205269.tif 000002
【実用新案登録請求の範囲】
【請求項１】
水虫の好む環境を断つ為のものである。
【請求項２】
足の指間、手の平や指間に薬を塗った後に装着する為の物である。
【請求項３】
靴や靴下に菌や薬を付かない様にする為の物である。
【考案の詳細な説明】
【技術の分野】
【０００１】本考案は水分を好む水虫対策の為に吸水性のすぐれた素材や紙で出来ている。
【０００２】足や手に薬を塗った後装着、後に使い捨てにする。
【考案の開示】
【考案が解決しようとする課題】
【０００３】汗、お風呂やサウナの後等、湿気を取る事で水虫対策になる。
【考案の効果】
【０００４】装着する事で靴下や靴に水虫菌を移さない。
【考案の実施する為の最良の形態】
【０００５】吸湿性能のある素材または、紙にする。
【図面の簡単な説明】
【０００６】
【図１】五本指にして指の頭はカットし、装着した足の図。
【図２】手に装着した図
【図３】足用の左右一対の図
【図４】手用の左右一対の図
【図１】
0003205269.tif 000003
【図２】
0003205269.tif 000004
【図３】
0003205269.tif 000005
【図４】
0003205269.tif 000006
【手続補正書】
【提出日】平成28年2月4日(2016.2.4)
【手続補正１】
【補正対象書類名】実用新案登録請求の範囲
【補正対象項目名】全文
【補正方法】変更
【補正の内容】
【実用新案登録請求の範囲】
【請求項１】
水虫や湿疹の為の使い捨て足、手のカバーであって、前記カバーは、指を通す五本指の部分を有し、その指の頭はカットされている構造を有し、前記カバーは、吸水性能のある素材または、紙から構成されることを特徴とする水虫や湿疹の為の使い捨て足、手のカバー。
【請求項２】
足の指間、手の平、指間に薬を塗った後に装着する為の物でもある。
【請求項３】
靴や靴下に菌や薬を付かない様にする為の物である。
【手続補正書】
【提出日】平成28年4月6日(2016.4.6)
【手続補正１】
【補正対象書類名】実用新案登録請求の範囲
【補正対象項目名】全文
【補正方法】変更
【補正の内容】
【実用新案登録請求の範囲】
【請求項１】
水虫や湿疹の為の使い捨て足、手のカバーであって、前記カバーは、指を通す五本指の部分を有し、その指の頭はカットされている構造を有し、前記カバーは、吸水性能のある素材または、紙から構成されることを特徴とする水虫や湿疹の為の使い捨て足、手のカバー。
【請求項２】
足の指間、手の平、指間に薬を塗った後に装着する為の物でもあることを特徴とする請求項１に記載の水虫や湿疹の為の使い捨て足、手のカバー。
【請求項３】
靴や靴下に菌や薬を付かない様にする為の物であることを特徴とする請求項１に記載の水虫や湿疹の為の使い捨て足、手のカバー。
(57)【要約】      （修正有）【課題】触感が増し面白みが増加するダーツ矢バレルを提供する。【解決手段】金属バレルを中空にしてその中に金属錘を入れ金属錘が金属バレルの中で可動する様に組み立てたもので、金属バレルの２つの雌ネジにそれぞれチップ、シャフト、フライを取り付けてダーツ矢として投擲に用いる。投擲の際には金属バレルの中で錘が可動する。【選択図】図１
0003205268.tif 000002
【実用新案登録請求の範囲】
【請求項１】
金属バレルに中空の穴を設け、その穴の中に穴径より若干径が細く、金属バレルの穴の長径より短い金属錘を入れたもので、金属錘が金属バレルの穴の中で投擲のさい可動する構造を持ったダーツ用バレル。
【考案の詳細な説明】
【技術分野】
【０００１】  本考案はダーツ矢バレル構造に関し、バレルの構造に工夫をし、いままでに無いダーツ矢を作成しようと意図した考案である。
【背景技術】
【０００２】  従来から様々な形状、構造のバレルが考案され用いられているが本考案のごとき構造を持ったバレルは無く、遊具としての多種製品としての存在価値の一種とし、消費者に選択の幅を広げる機会を増やすものである。
【考案の概要】
【０００３】  本考案は金属バレルに中空の穴を設け、その穴の中に穴径より若干径の細い金属錘を入れたもので、金属錘が金属バレルの穴の中で投擲のさい可動する構造である。
【考案の効果】
【０００４】  科学的データは検証できないが、投擲は感覚の占める度合いが高いので触感が増す事による面白みが増加した。
【図面の簡単な説明】
【０００５】
【図１】  １はバレル側面外観図、２はバレルと錘の断面図、３はバレルを輪切りにした図  ４は錘を輪切りにした図、５はバレルの断面図、６は錘の断面図である。
【図１】
0003205268.tif 000003
(57)【要約】      （修正有）【課題】構造が簡単で、人力で張り糸がきつくねじられる必要がなく、簡単に束ねられ、梱包時間も削減され、使う時にユーザーがより容易に張り糸を広げ、使い勝手がよく、糸も絡まらない防鳥網用張り糸の糸巻きを提供する。【解決手段】帯状の板本体２を含み、板本体２の両端にＷ形の溝３が対称に加工され、溝３と隣り合う板本体２の端部は凸歯１である。凸歯１はアーチ形の構造である。板本体２は木、プラスチック又は紙で作られる。【選択図】図１
0003205261.tif 000002
【実用新案登録請求の範囲】
【請求項１】
帯状の板本体を含む防鳥網用張り糸の糸巻きであって、前記板本体の両端にＷ形の溝が対称に加工され、前記溝と隣り合う前記板本体の端部は凸歯であることを特徴とする防鳥網用張り糸の糸巻き。
【請求項２】
前記凸歯はアーチ形の構造であることを特徴とする請求項１に記載の防鳥網用張り糸の糸巻き。
【請求項３】
前記板本体は木、プラスチック又は紙で作られることを特徴とする請求項１に記載の防鳥網用張り糸の糸巻き。
【考案の詳細な説明】
【技術分野】
【０００１】
本考案は編み装置分野に関し、具体的に防鳥網用張り糸の糸巻きに関するものである。
【背景技術】
【０００２】
周知のように、防鳥網を張る際に、田畑面積の大きさなどの実際な情況によって、支柱を立てる位置を確定し、防鳥網の両端の耳糸に張り糸を通し、張り糸を通してから、網の耳糸を固定する平らなフィラメントを解くのが一般である。使用される張り糸は人力できつく捻ってから束ねる必要があり、きつく捻ってから束ねられた張り糸が比較的長いため、梱包の時に、時間が掛かるだけでなく、包装バックも破損しやすい。なお、きつく捻ってから束ねられた張り糸は使う時に広げにくく、絡みやすい。
【考案の概要】
【考案が解決しようとする課題】
【０００３】
先行技術の問題を克服するため、本考案は次の防鳥網用張り糸の糸巻きを提供する。当該防鳥網用張り糸の糸巻きは構造が簡単で、人力で張り糸がきつくねじられる必要がなく、簡単に束ねられ、全体の長さが短縮され、梱包時間も削減され、包装バックの破損を免れ、使う時にユーザーがより容易に張り糸を広げることができるため、使い勝手が良い。
【課題を解決するための手段】
【０００４】
本考案において当該技術問題を解決するために採用した技術方案は以下の通りである。帯状の板本体を含む防鳥網用張り糸の糸巻きであって、前記板本体の両端にＷ形の溝が対称に加工され、前記溝と隣り合う前記板本体の端部は凸歯であることを特徴とする防鳥網用張り糸の糸巻き。
【０００５】
尚、本考案は以下の措置によって実現される。凸歯はアーチ形の構造であり、板本体は木、プラスチック又は紙で作られる。
【考案の効果】
【０００６】
本考案は以下の作用効果がある。即ち、構造が簡単で、人力で張り糸がきつくねじられる必要がなく、簡単に束ねられ、全体の長さが短縮され、梱包時間も削減され、使う時にユーザーがより容易に張り糸を広げ、使い勝手がよく、糸も絡まらない。
【図面の簡単な説明】
【０００７】
【図１】本考案の構成を示す概略図である。
【考案を実施するための形態】
【０００８】
以下は添付図面と実施例に基づいて、本考案を詳しく説明する。
【０００９】
図１に示されるように、本考案の防鳥網用張り糸の糸巻きは帯状の板本体２を備える。板本体２は木、プラスチック又は紙で作られ、板本体２の両端にＷ形の溝３が対称に加工される。溝３と隣り合う板本体の端部は凸歯１であり、凸歯１がアーチ形の構造である。
【００１０】
本考案の防鳥網用張り糸の糸巻きは２本の張り糸をそれぞれ２つの溝３に巻き、防鳥網を張る時に２本の張り糸をそれぞれ防鳥網の両端の耳糸に通してから、網の耳糸を固定する平らなフィラメントを解き、防鳥網本体の片側を支柱に固定し、張り糸に沿って長さ方向に網本体を広げ、最後に網本体の別の側を支柱に固定する。
【符号の説明】
【００１１】
１：凸歯
２：板本体
３：溝
【図１】
0003205261.tif 000003
(57)【要約】      （修正有）【課題】地中に埋まっている部分が腐敗したり、シロアリが発生する木杭に代わるアングル形平鋼鈑の杭を提供する。【解決手段】アングル形平鋼鈑で出来ている杭は、側面に支柱４に合う孔３を上下に並ぶように開け、その孔３に支柱４を差し込み、上下左右双方の支柱４の段差が少なく、互いの支柱４を紐等で結束６する。【選択図】図１
0003205700.tif 000002
【実用新案登録請求の範囲】
【請求項１】
畑等で野菜果物等の苗を植え栽培する過程の中で、苗等が強風で倒れないように、支柱や主柱等で支えているが、その支えを楽に取り付けの出来る、側面に孔を開けたアングル形平鋼鈑の杭。
【考案の詳細な説明】
【技術分野】
【考案の詳細な説明】
【０００１】  畑等で野菜果物等を作るためによく使われる木杭に代わって、側面に孔の開けたアングル形平鋼鈑の杭を提供する。
【背景技術】
【０００２】  畑等で野菜果物等を作るために、並び植えた苗列の両端に木杭を打ち込み、その木杭と支柱又主柱と苗を紐等で結び、苗が強風で倒れないように固定している。
【考案の開示】
【考案が解決しようとする課題】
【０００３】  畑等で従来のよく使われる木杭は、地中に埋め込んでいる部分が腐敗したり、シロアリが発生するので、翌年には、その木杭は使用出来ないことがあり、支柱と主柱等の固定材としては利用できなくなる。
【課題を解決するための手段】
【０００４】  その木杭に代わって、側面に孔を開けたアングル形平鋼鈑の杭を提供するのである。
【考案の効果】
【０００５】  平鋼鈑で出来ている杭は、腐敗やシロアリの発生を無くすだけでなく、側面に支柱に合う孔を上下「［図１］（ａ）３」に並ぶように開け、その孔に合った支柱「［図１］（ｃ）」を差し込み、主柱とを紐等で結ぶだけで簡単に取り付けが出来るのである。
【考案を実施するための最良の形態】
【０００６】  平鋼鈑杭の形態は［図１］（ａ）（ｂ）（ｃ）で示す。【０００７】  側面の孔は、支柱の太さより少し大きめに上下に並ぶようにして開ける。【０００８】  杭をアングル形にする理由は、平鋼鈑では、強風によって折れ曲がる心配があるがアングル形ではその心配は無い。
【実施例】  上下に並ぶように孔を開ける理由は、苗を揃えて植えた時、その支えとなる支柱の長さに合わせて、杭を地中に打ち込み、その側面の孔から支柱を上下どちらかの孔に差し込むことで、杭が連立のジョイントになり、図（ｃ）に示すように、上下左右双方の支柱の段差が少なく互いの支柱を紐等で結び付け（６）連結が出来るのである。【０００９】（ｄ）の６は支柱と支柱  ７は支柱と主柱を紐等で互いに結び付けた図である。
【図面の簡単な説明】
【００１０】
【図１】（ａ）平鋼鈑杭側面図  （ｂ）平鋼鈑杭平面図  （ｃ）平鋼鈑杭支柱先端差し込み部分斜視図  （ｄ）平鋼鈑杭支柱主柱取り付け正面図  本考案の実施形態を示す
【符号の説明】
【００１１】Ｉ        側面
Ｉ−Ｉ    Ｉ先端
２        アングル部分
３        孔
４        支柱
５        主柱
６        支柱結束
７        支柱主柱結束
８        地中
【図１】
0003205700.tif 000003
(57)【要約】      （修正有）【課題】高周波ケーブルの芯線部の取付金具を簡単に取付ることができる芯線接続治具を提供する。【解決手段】ガスバーナー６により、高周波ケーブルの芯線部の取付金具４を取付けることに役立つ。【選択図】図３
0003205697.tif 000002
【実用新案登録請求の範囲】
【請求項１】
高周波ケーブルの接栓の芯線部の筒状の取付金具を、その部分に糸半田を巻付け円筒状のガスバーナーであぶって接着することを特徴とする芯線接続治具。
【考案の詳細な説明】
【技術分野】
【０００１】  本考案は、ＭＪ接栓の芯線部の金具等を接続する工具に関するものである。
【背景技術】
【０００２】  ＭＪ接栓の芯線部の金具等に接続する工具は殆ど無かった。
【考案の開示】
【考案が解決しようとする課題】
【０００３】  ＭＪ接栓の芯線部の金具をしゅん間で、接着でき前途の欠点を解決しようとするものである。
【課題を解決するための手段】
【０００４】  本考案は、芯線部の金具に糸半田を巻付け、その部分をガスバーナーで半田を解かし接続することで問題点を解決している。
【考案の効果】
【０００５】  上述の様に、芯線部の金具に糸半田を巻付け、そこをガスバーナーで解かすことでしゅん間に接続することに役立つ。
【考案を実施するための最良の形態】
【０００６】  芯線部の金具に糸半田を巻付け、そこをガスバーナーでしゅん間に解かし接続する。
【実施例】
【０００７】  以下、添付図面に従って実施例を説明する。１は、にぎり手部分、２は、ガスのふん射口、３は、スイッチになっており、４は、取付金具、ここに糸半田を巻付け５のようにして、６の、ガスバーナーで解かして接着することで、作業が容易に行える。【０００８】  本考案の実施例は上述の如き構成からなるものであり、高周波ケーブルの芯線部の接続に釣果が上がる。
【図面の簡単な説明】
【０００９】
【図１】正面図
【図２】側面図
【図３】実施例図
【符号の説明】
【００１０】    １  にぎり手
２  ふん射口（ノズル）
３  スイッチ
４  取付金具
５  接続部に糸半田巻付
６  ガスバーナー
【図１】
0003205697.tif 000003
【図２】
0003205697.tif 000004
【図３】
0003205697.tif 000005
(57)【要約】      （修正有）【課題】履いて歩くだけで床面掃除のできるサンダルを提供する。【解決手段】サンダル本体底面２に凹部を設け、該凹部内に面ファスナー雄片５を、該面ファスナーの先端側を下向きにして固着させたことを特徴とする。【選択図】図３
0003205698.tif 000002
【実用新案登録請求の範囲】
【請求項１】
サンダル本体底面に凹部を設け、該凹部内に面ファスナー雄片を、該面ファスナーの先端側を下向きにして固着させたことを特徴とする掃除用サンダル。
【請求項２】
面ファスナー雄片の先端位置を、サンダル底面位置より引っ込んだものとしてなる請求項１記載の掃除用サンダル。
【考案の詳細な説明】
【技術分野】
【０００１】  この考案は、履いて室内を歩くことにて床面の掃除を行うことのできる、掃除用のサンダルに関する。
【背景技術】
【０００２】  従来より、種々のスタイルのサンダルが多用されているが、本案にて示すような掃除用のサンダルは見当たらない。
【考案の概要】
【考案が解決しようとする課題】
【０００３】  住居の掃除は必須作業である。昔から日本ではほうきとちりとりが愛用されてきた。
住居の洋風化とともに、電気掃除機が一般化してこれが掃除の代表的手段となっている。
しかし、通電その他の準備が必要で、それなりの手間がかかり、また掃除後の片付けも必要である。近年、床面の掃除を簡単に行う用具として、柄の先に可動式の平板を設け、この平板下面に専用の掃除用シートを取り付け、床面上を滑らせることにて、このシートにゴミやホコリを絡めさせて掃除するものが利用されている。
本案は以上に鑑み、サンダルの底面に立体構造シートを係着させて、このサンダルにて床面上を歩行することにて、自動的に床面上のゴミやホコリを除去することによって、とくに掃除を意識せずとも自然に床面の掃除を行うことのできる、新規かつ有用なる手段を提供するべく考案されたものである。
【課題を解決するための手段】
【０００４】  課題を解決する手段として本案は以下の構成とした。
すなわち、サンダル本体底面に凹部を設け、該凹部内に面ファスナー雄片を、該面ファスナーの先端側を下向きにして固着させる。本案は以上の構成よりなる掃除用サンダルである。
【考案の効果】
【０００５】  本案によれば、サンダル底面に掃除用シートを着脱可能に係着することができ、このまま床面を歩行することにて、床面上のゴミやホコリをシートにて捕らえることができて、とくに掃除を意識せずとも自動的に床面上を掃除できる、有用なる手段を得ることができる。また、このシートを交換することにて、継続的に何度でも掃除をすることができる。
【図面の簡単な説明】
【０００６】
【図１】  本考案の平面図
【図２】  本考案の正面図
【図３】  本考案の凹部配置説明図（底面視）
【図４】  本考案の要部構成説明図
【図５】  本考案の他例における凹部形状説明図
【考案を実施するための最良の形態】
【０００７】  以下、本考案の実施形態について説明する。
図において、１はサンダル本体で、大体は発泡合成樹脂にて板状に形成される部分である。このサンダル本体の上部適所には円弧状の帯体３の両端が固着され、この帯体とサンダル本体上面との空隙に足先を挿入して使用する。４は四角長方形状に一段下がった形状の凹部で、図３にて示すように、サンダル本体底面における外周近傍に沿って複数個が設けられる。５は面ファスナー雄片（かぎ型）で、上記の凹部内に粘着される。この粘着時において、面ファスナーの先端位置は、サンダル底面よりわずかに引っ込んだ位置である。
以上が本案の一実施形態である。【０００８】  次に、本案の使用について説明する。本案は市販の立体構造シートとその併用にて効果を発揮するものである。この立体構造シートをサンダル底面と同形状に裁断したものを用いる。図４のように、このシート面を面ファスナー先端に押しつけることにて、かぎ型の部分とシート面とが絡み合って係着状態となり、シートはサンダル底面に固定される。
以上で準備が終わり、このままサンダルを履いて床面上を歩行すると、床面上のゴミやホコリはこのシートに絡まって取り込まれ、床面上の掃除を自然な形で行うことができる。
一日程度使用すると、シートが汚れるので交換するかあるいは裏返して再使用する。
汚れたシートはそのまま廃棄し、新たなシートを用いて再度歩行による掃除を行うことができる。【０００９】  図５は、本案の他例を示すもので、凹部を環状として、この凹部に合う形状の面ファスナー雄片を前例同様に凹部に固着して用いるものであり、掃除効果は前例同様であるが、個別に複数の面ファスナーを用いる前例に比べて、サンダル底部への面ファスナーの粘着固定が容易に行える利点がある。【００１０】  以上、本案について記したが、既述のごとく本考案はとくに掃除を意識することなく、床面の掃除ができるところにその特徴がある。従来は掃除の度に、専用の用具や装置を持ち出して行う煩わしさがあったが、本案は既述のように単に床面上を歩き回るだけで、自然に掃除ができる利点を有するものである。
また、本案に用いる面ファスナー雄片は、先端がかぎ状になっており、立体構造シートをうまく係着させることができ、この面ファスナーをサンダル底面の外周近傍に複数個設けることにて、この立体構造シートを安定保持させることができる。【００１１】  面ファスナー先端がサンダル底面より突出していると、歩行の度にその押圧にて先端を傷めてしまうので、本案例では、面ファスナー先端をサンダル底面よりわずかに引っ込んだ位置に設けている。これにより、上記の問題は回避されるが、引っ込みすぎると今度は立体構造シートへの係着力が弱まるので、その引っ込み加減の程度が問題であるが、実験の結果、サンダル底面より０．５から１ミリメートル程度が適当であるとの知見を得ている。【００１２】  本案に用いる凹部形状は任意であるが、初例においては長方形状複数個とし、別例にては変形環状の凹部とした。なお、別例の変化例として、略Ｕ形の凹部を対向させて設けてもよい。また、連続環状以外に、断続環状としてもよい。
本案品は床面掃除用として発案されたもので、木床、合成樹脂製フローリングその他に用いることができる。また、立体構造シートをサンダルから外して、一般のサンダル同様に用いることもできる。本案はサンダルとして発案したが、スリッパその他類似の履き物にも十分応用することができる。
以上のごとく、本案によって床面掃除に便利なるサンダルを得ることができる。
【符号の説明】
【００１３】  １  サンダル本体
２  底面
３  帯体
４  凹部
５  面ファスナー雄片
６  凹部
７  立体構造シート
【図１】
0003205698.tif 000003
【図２】
0003205698.tif 000004
【図３】
0003205698.tif 000005
【図４】
0003205698.tif 000006
【図５】
0003205698.tif 000007
(57)【要約】      （修正有）【課題】オセロゲーム（登録商標）に使用しているゲーム盤の盤面構成を変えることでゲーム性に変化と深みを増すことを目指す新ゲーム盤を提供する。【解決手段】オセロゲーム（登録商標）に使用しているゲーム盤の四角形の盤面で角部を構成している４ヶ所の角コマをはずすと新しく角コマ２が８ヶ所できる。この角コマ２を増したことを特徴とする。【選択図】図１
0003205680.tif 000002
【実用新案登録請求の範囲】
【請求項１】
オセロゲーム（登録商標）で使用する四角形のゲーム盤において、４ヶ所あるコーナー部に各１個ずつある角コマをなくし、新たな各コーナー部に角コマの働きをするコマを２個、合計８個の角コマを作り出したことを特徴とする新ゲーム盤。
【考案の詳細な説明】
【技術分野】
【０００１】  本考案は、オセロゲーム（登録商標）で使用するゲーム盤に関するものである。
【背景技術】
【０００２】  オセロゲーム（登録商標）においてのゲーム盤は、四角形の盤面をタテ・ヨコ８区分して６４のコマを配したものを使用している。
【考案の概要】
【考案が解決しようとする課題】
【０００３】  オセロゲーム（登録商標）に使用しているゲーム盤の盤面構成を変えることでゲーム性に変化と深みを増すことを目指す。
本考案は以上のことを課題とする。
【課題を解決しようとするための手段】
【０００４】  本考案は、オセロゲーム（登録商標）に使用しているゲーム盤の四角形の盤面で角部を構成している４ヶ所の角コマをはずすと新しく各コーナー部には２個ずつ計８個の角コマができる。
この角コマを増したことで課題を解決した。
【考案の効果】
【０００５】  オセロゲーム（登録商標）において、ゲーム盤の角コマの働きは勝負を左右するものがある。従って、この角コマの数が増えることはゲームの進め方に大きな変化と深みが増すことになる。
【図面の簡単な説明】
【０００６】
【図１】本考案の平面図
【考案を実施するための形態】
【０００７】    以下、本考案の実施の形態を説明する。
オセロゲーム（登録商標）におけるゲーム盤は四角形の盤面をタテ・ヨコ８区分して、６４のコマを配したものを使っているが、このコマのうちコーナー部を構成している角コマ４ヶ所をはずすと図１に示している角コマ２が８ヶ所ある平面図のような形の新ゲーム盤１ができる。
【符号の説明】
【０００８】    １．新ゲーム盤
２．角コマ
【図１】
0003205680.tif 000003
(57)【要約】      （修正有）【課題】育毛に対する有効成分を持続的に頭皮に供給する貼付式育毛剤を提供する。【解決手段】伸縮可能な柔軟性を持った基体３の上側に粘着材２を塗り、基体３の下側には育毛に対する有効成分を含有した粘着材料からなる薬剤層４を塗り、さらにその下に薬剤層の有効成分を透過するシ−ト５を置く。前記４層を使用直前まで保護する上部剥離層１および下部剥離層６ではさみ、全部で６層からなる構造体を作成する。この構造体を育毛しようとする頭皮の近傍に置かれた帽子の裏に粘着材２によって貼りつけ使用する。【選択図】図１
0003205690.tif 000002
【実用新案登録請求の範囲】
【請求項１】
伸縮可能な柔軟性を持った基体上側の表面に粘着材を塗り、さらに前記粘着材の上に使用するとき剥がす上部剥離層を作成し、基体の下側には育毛に対する有効成分を含有した粘着材料からなる薬剤層を塗り、前記薬剤層の下側には使用した時に頭皮に対して粘着を防止し且つ有効成分の透過を可能とする柔軟性のあるシ−トを置き、前記柔軟性のあるシ−トの下側に使用時に剥がす時まで有効成分の揮発を抑える下方剥離層を有するもので、全部で６層からなる構造体であり、育毛をしようとする頭皮の近傍にある帽子やバンダナ等に前記粘着材で貼りつけて使用することを特徴とする貼付式育毛剤。
【考案の詳細な説明】
【技術分野】
【０００１】本考案は、パップ剤及びテ−プ剤から発散される有効成分を持続的に頭皮に供給する育毛剤に関するものである。
【背景技術】
【０００２】従来の育毛剤はほとんどが液剤、ロ−ション剤、エアゾ−ル剤のものであり、患部に振り掛けることにより、特定の有効成分を一時的に、頭皮に供給する機能を持ったものであり、禿、薄毛、脱毛などの治療に広く利用されている。
【考案の概要】
【考案が解決しようとする課題】
【０００３】育毛に対する有効成分を頭部に対して持続的に供給する機能を持った育毛剤。
【課題を解決するための手段】
【０００４】本考案は、育毛に対する有効成分を粘度のある物質と混ぜ布等の片側に薄く塗り、もう片側は粘着材を塗り、粘着材の付いた側を帽子やバンダナ、パ−カ−等にはりつけ頭部の育毛を促したい部分に有効成分をつけた側が当たるように装着し有効成分が頭部に持続的に揮発を経て供給される。
【考案の効果】
【０００５】従来の育毛剤は、頭皮に作用するよりも大半が蒸発及び乾燥してしまい有効的に作用してこなかったが、有効成分を粘着材とともにに固め育毛をしたい頭皮部分に持続的に揮発させることにより、より効率的に頭部に有効成分を供給できる。【０００６】  有効成分が塗られた側は頭部に当たるわけであるが、粘着を防止し且つ有効成分の透過を可能とするシ−トに覆われているため、頭部にくっつかず、よって不快感を伴うことがなく、頭部から剥がす時に毛髪等がくっつくという面倒なことも起こらない。
【図面の簡単な説明】
【０００７】
【図１】貼付式育毛剤の側断面図
【図２】図１に示す貼付式育毛剤の貼りつけ作業完了時を示す側断面図
【考案を実施するための形態】
【０００８】肩凝等の湿布剤の大きさの布、ゴムシ−ト、不織布等の伸縮可能な柔軟性を持った基体上側の表面に粘着剤を塗り、さらに粘着材の上に貼りつける時に剥がす上方剥離層を有する。基体の下側には育毛に対する有効成分を含有した粘着材料からなる薬剤層を有しさらに、薬剤層の下面に頭部への粘着を防止し且つ、揮発性の有効成分の透過性があるシ−ト面を形成し、その下に使用時まで揮発を抑える下方剥離層を有するもので全部で、６層からなる構造体である。
【実施例】
【０００９】以下添付図に従って、一実施例を説明する。［図１］の１は粘着式育毛剤を帽子等の裏側に貼る時に剥がす剥離層であり、２は粘着材層、３は伸縮可能な柔軟性を持った基体層であり、４は、育毛に対する有効成分を含有した粘着材料からなる薬剤層である。５は、薬剤層が頭部にくっつかない状態で且つ育毛に対する有効成分が透過するシ−トであり、６は、使用時まで有効成分の揮発を抑えるシ−トである。【００１０】［図２］は［図１］１の上下の剥離層を剥がし貼付式育毛剤を帽子の裏側に貼った状態の側断面図である。７は帽子であり、８は頭皮である。５の粘着を防止しながら且つ有効成分を透過するシ−トで覆われているため、頭皮や毛髪にはくっつくことなく、有効成分が頭皮に供給される。
【符号の説明】
【００１１】１上部剥離層
２粘着剤層
３基体層
４薬剤層
５有効成分透過シ−ト
６下部剥離層
７帽子
８頭皮
【図１】
0003205690.tif 000003
【図２】
0003205690.tif 000004
(57)【要約】      （修正有）【課題】丈夫で見栄えの良い椅子を提供する。【解決手段】前脚１の上部を水平方向に屈曲して座枠３を形成し、座枠の上面には座板が取り付けられている。座枠３の後部先端には、後脚２の外面に沿って下方に屈曲して延びる垂下部８が設けられている。垂下部８の断面の一部は後脚の外面に沿って凹陥され、この凹陥部を後脚２の外面にあてて溶接１０されている。上記後脚の上方に延びる背枠には、背板が設けられているが、この背枠部分には、座枠の後部が連結されていない。【選択図】図１
0003205650.tif 000002
【実用新案登録請求の範囲】
【請求項１】
床面から上方に金属パイプ材料を起立して形成した前脚及び後脚と、この前脚の上部を水平方向に屈曲して形成した座枠を有し、座枠の後部を上記後脚に接合した椅子において、上記座枠の後部先端には、後脚に沿って下方に屈曲して延びる垂下部が形成され、該垂下部が後脚に接合されていることを特徴とする椅子。
【請求項２】
上記座枠の垂下部の断面の一部は後脚の外面に沿う形状に凹陥され、該凹陥部を後脚に沿わせて溶接した請求項１に記載の椅子。
【考案の詳細な説明】
【技術分野】
【０００１】
本考案は、脚フレームに特徴を有する椅子に関する。
【背景技術】
【０００２】
ステンレスパイプ等の金属パイプ材料でフレームを構成した各種椅子が用いられている。例えば、パイプ材料を床面から上方に立ち上げて前脚を構成し、この前脚の上部を後方に水平に屈曲して座枠を設け、座枠の後部先端を後脚の側面にストレートに突き合わせて溶接したもの(例えば特許文献１参照)や、座枠の後部を屈曲して上方に延びる立上部を設け、この立上部を後脚の上部に連接した背枠の側面に沿わせて溶接した構成(例えば特許文献２参照)が知られている。しかし、座枠の後端を後脚にストレートに突き合わせて溶接した構成は、見栄えがいいものの強度確保が難しく、補強が必要になることがある。一方、上方に屈曲させた立上部を背枠に溶接した場合は、座部の後方に、立上部と背枠のパイプ部分が二重に重なってあらわれ、スッキリ感がなく、見えがかり上美しくない、という問題がある。また、後脚の上方には背凭れが設けられるが、上記立上部の上端が背凭れ部内に組み込まれていないと、立上部の先端が露出することになるので手指や衣服を引っ掛けるおそれがあり、立上部を背凭れ部に組み込む場合も背凭れとのデザイン上の処理を考慮しなければならないし、立上部が長くなるから、パイプ材料が無駄になる。
【先行技術文献】
【特許文献】
【０００３】
【特許文献１】実用新案登録第３１６３２４号公報（図１）
【特許文献２】特開２００２−１３６３６９号公報（図１）
【考案の概要】
【考案が解決しようとする課題】
【０００４】
本考案が解決しようとする課題は、金属パイプ材料で脚フレームを構成した椅子において、十分な強度があり、見栄えがよく、パイプ材料に無駄がない椅子を提供することである。
【課題を解決するための手段】
【０００５】
本考案によれば、床面から上方に金属パイプ材料を起立して形成した前脚及び後脚と、この前脚の上部を水平方向に屈曲して形成した座枠を有し、座枠の後部を上記後脚に接合した椅子において、上記座枠の後部先端には、後脚に沿って下方に屈曲して延びる垂下部が形成され、該垂下部が後脚に接合されていることを特徴とする椅子が提供され、上記課題が解決される。
【０００６】
また、本考案によれば、上記座枠の垂下部は、断面の一部が後脚の外面に沿う形状に凹陥され、該凹陥部を後脚に沿わせて溶接した上記椅子が提供され、上記課題が解決される。
【考案の効果】
【０００７】
本考案は、上記のように構成され、座枠の後部先端に、後脚に沿って下方に屈曲して延びる垂下部を形成し、この垂下部を後脚の側面に接合したので、接合部が座部の平面よりも下方に位置することになり、接合部が座部の上方に表れず、美観が優れており、かつ後脚の側面に沿って溶接されているから強度上の問題もない。また、垂下部の先端が下方を向いているため、引っ掛けるおそれもなく、安全であり、垂下部を長く形成しなくてもよいので、パイプ材料も節約することができる。上記垂下部の断面の一部を後脚の外面に沿う形状に凹陥し、該凹陥部を後脚に沿わせて溶接すると、溶接作業が容易であり、かつ垂下部が後脚の外面から大きく突出しないようにできるので、一層見栄えのよい椅子が得られる。
【図面の簡単な説明】
【０００８】
【図１】本考案の一実施例を示す斜視図。
【図２】背面から見た斜視図。
【図３】座部の後方部分を底面から一部の斜視図。
【図４】後脚と垂下部の接続部分の断面図。
【考案を実施するための形態】
【０００９】
本考案の椅子は、フレームが金属パイプ材料でされ、図１に示す実施例では、床面から起立する前脚１、後脚２と、前脚の上端から水平方向に屈曲して延びる座枠３を具備し、座枠の上面には座部４として座板が取付具１１により取り付けられ、後脚の上方に延びる背枠５は、背板６の両側に形成した取付部１２に挿入されている。なお、図に示す実施例では前脚１と後脚２が独立しているが、前脚の下端と後脚の下端を床枠で連接して一連に形成することもできる(図示略)。また、座枠は、実施例では左右の前脚の上部を座部の中心方向に屈曲して傾斜させ中央に直線状の内接部７を形成し、左右の内接部７を並列して溶接し、内接部の後端を後脚方向に屈曲して傾斜させて座枠３を構成しているが、その他種々の座枠に構成することができる。例えば、前脚の上端を直線的に後脚方向に屈曲して側枠とし、左右の側枠や前脚間等を横方向に延びる適宜の連結杆で連結して座枠を構成してもよい(図示略)。
【００１０】
上記のように、座枠３の後部は、後脚２に向かって延びており、先端には後脚２に沿って下方に屈曲して延びる垂下部８が形成されている。この垂下部８の断面の一部には、好ましくは、後脚の外面に沿うよう一部を潰して凹陥部９が形成されており、この凹陥部９を後脚２の側面にあてがって溶接１０している。
【００１１】
上記垂下部８の長さは、強度上の必要以上に長く形成しなくてもよく、数センチあれば十分である。また、図において、垂下部８と後脚２は、溶接により接合しているが、ねじ止めにより接合することもできる。
【００１２】
上記のように座枠３の後部先端に下方に屈曲する垂下部８を設けて後脚に接合したことにより、座部４の後方の外観がスッキリし、美観を損ねることがなく、かつ垂下部８の下端が後脚２に沿って下方を向いているから、着座者が手指や衣服を引っ掛けるおそれもなく、安心して使用することができる。
【符号の説明】
【００１３】
１  前脚
２  後脚
３  座枠
５  背枠
７  内接部
８  垂下部
９  凹陥部
１０  溶接
【図１】
0003205650.tif 000003
【図２】
0003205650.tif 000004
【図３】
0003205650.tif 000005
【図４】
0003205650.tif 000006
(57)【要約】      （修正有）【課題】小銭の出し入れの手間を省く折りたたみ財布を提供する。【解決手段】財布本体１０に取り付けられた小銭入れフレーム２０と開閉カバー３０は、硬質プラスチック製であり、多少の曲がりを付け、ポケット内での違和感を持たせないよう成型する。小銭入れフレーム２０と開閉カバー３０はヒンジで繋がっており、バネを内臓している。開閉カバー３０が開いた状態においては、内幕４０は開いた状態となっており、小銭を簡単に出し入れすることができる。また、開閉カバー３０はバネにより開いた状態を保たれているため、開閉カバー３０が倒れてくることは無い。小銭入れフレーム２０には接着用鉄片２１を固定し、開閉カバー３０には接着用マグネット３１を固定する。開閉カバー３０が開いた状態では、接着用鉄片２１と接着用マグネット３１は離れた状態となっている。【選択図】図１
0003205651.tif 000002
【実用新案登録請求の範囲】
【請求項１】
バネ仕掛けで開閉するプラスチック製の開閉カバーを有することを特徴とする小銭入れ付きの折りたたみ財布。
【請求項２】
前記プラスチック製の開閉カバーの開閉を、開閉カバーに貼付したマグネットにより行うことを特徴とする、請求項１の小銭入れ付きの折りたたみ財布。
【請求項３】
落下防止用マグネットを有する鍵収容ホルダーを内臓することを特徴とする請求項１の小銭入れ付きの折りたたみ式財布。
【考案の詳細な説明】
【技術分野】
【０００１】
本考案は、小銭入れの付いた折りたたみ式財布に関する。
【背景技術】
【０００２】
従来、小銭入れ付きの財布は皮革、合成樹脂等により製造されており、カバーを開閉して小銭を取り出す方式となっているが、カバーを開けて小銭を出し入れしている最中にカバーが倒れてきて邪魔になり、小銭の出し入れに手間がかかるという問題があった。また、財布から鍵が落下する恐れがある、等の問題があった。
【考案の概要】
【考案が解決しようとする課題】
【０００３】
本考案は、上記課題に鑑みてなされたものであり、折りたたみ式財布において小銭の出し入れの手間を省き、また財布に入れた鍵の落下を防止することを目的とする。
【課題を解決するための手段】
【０００４】
本考案は上記課題を解決するため、小銭入れに、バネ仕掛けでワンタッチで開閉するプラスチック製の開閉カバーを取り付け、また鍵収容ホルダーを設け、鍵収容ホルダーに落下防止用のマグネットを貼付している。
【考案の効果】
【０００５】
本考案は、開閉カバーをバネ仕掛けでワンタッチで開閉して小銭の出し入れを行うため、カバーの開け閉めが容易でかつ小銭の出し中にカバーが倒れてきて邪魔になることも無い。
【０００６】
カバーの開け閉めがワンタッチでできるため、操作がスマートに感じられ、また開閉カバーに装飾を施すことにより、デザイン性等に富んだ財布とすることもでき、需要者の購買意欲を高める効果も期待できる。
【０００７】
プラスチック製のカバーがあることで、その裏側に鍵収容ホルダーを内臓することができる。
鍵収容ホルダーは落下防止用マグネットを有しているため、鍵の落下を防ぐことができる。
【図面の簡単な説明】
【０００８】
【図１】本考案の開閉カバーを開けた状態の概略図
【図２】本考案の開閉カバーを閉めた状態の概略図
【図３】本考案の鍵収容ホルダーの概略図
【考案を実施するための形態】
【０００９】
以下、添付図面を参照して本考案の小銭入れ開閉カバー付き折りたたみ財布の実施の形態について説明する。
【００１０】
図１は本考案の開閉カバー３０を開けた状態の概略図であり、図１（Ａ）は正面概略図、図１（Ｂ）は側面概略図である。
図１において、財布本体１０に取り付けられた小銭入れフレーム２０と開閉カバー３０は、硬質プラスチック製であり、多少の曲がりを付け、ポケット内での違和感を持たせないよう成型する。小銭入れフレーム２０と開閉カバー３０はヒンジで繋がっており、バネを内臓している。開閉カバー３０が開いた状態においては、内幕４０は開いた状態となっており、小銭を簡単に出し入れすることができる。
また、開閉カバー３０はバネにより開いた状態を保たれているため、開閉カバー３０が倒れてくることは無い。
小銭入れフレーム２０には接着用鉄片２１を固定し、開閉カバー３０には接着用マグネット３１を固定する。開閉カバー３０が開いた状態では、接着用鉄片２１と接着用マグネット３１は離れた状態となっている。
【００１１】
図２は本考案の開閉カバー３０を閉じた状態の概略図であり、図２（Ａ）は正面概略図、図２（Ｂ）は側面概略図である。
図２において、小銭入れフレーム２０と開閉カバー３０は、接着用鉄片２１と接着用マグネット３１により接着された状態となっており、内幕４０は折りたたまれた状態となっている。
図２の状態から、開閉ボタン３２を引っ張ることにより、小銭入れを開けることができる。  
【００１２】
図３は、本考案の鍵収容ホルダーの概略図である。
鍵収容ホルダー５０は財布本体１０に固定されており、鍵収容ホルダーの先は貫通して先すぼみになっていることで、鍵を差し込み保持することができる。また、鍵収容ホルダー５０には鍵落下防止用マグネット５１を固定することにより、鍵の落下を防ぐことができる。
【産業上の利用可能性】
【００１３】
本考案のプラスチック製のカバーは、電卓、時計、通信回路、等広範囲に応用できる。
【符号の説明】
【００１４】
１０ 財布本体
２０ 小銭入れフレーム
２１ 接着用鉄片
３０ 開閉カバー
３１ 接着用マグネット
３２ 開閉ボタン         
４０ 内幕
５０ 鍵収容ホルダー
５１ 鍵落下防止用マグネット
【図１】
0003205651.tif 000003
【図２】
0003205651.tif 000004
【図３】
0003205651.tif 000005
(57)【要約】      （修正有）【課題】車内で読書などをする場合、ハンドルの上に固定し、手を使用せずに楽に読書ができるハンドル用書見台を提供する。【解決手段】簾状に形成した本体１の上方適部に切欠窓２を設け、この切欠窓２をハンドル５の上部にはめ込んで本体１を固定する。本体１の下方には、書物を置くための棚板３を固着したものである。そして、本体１の適宜の位置にページ止具６を設け、ページ止具６の両端付近には、本の端部を固定する挟具７を設ける。このようにすることにより、手を使わずに楽に書物を読むことができる。又、読書後巻いて折り畳めば小さくなるので、車内の格納ケースに納めることができる。【選択図】図２
0003205702.tif 000002
【実用新案登録請求の範囲】
【請求項１】
簾状に形成した本体の上方適部に切欠窓を設け、下方の適宜位置にページ止具を固着し、下方に棚板を固着した車内ハンドル用書見台。
【請求項２】
ページ止具を別体として設け、前記本体の適宜の位置に掛片によって掛けられるようにした請求項１記載の車内ハンドル用書見台。
【考案の詳細な説明】
【技術分野】
【０００１】  本考案は車内のハンドルを利用した書見台に関する。
【背景技術】
【０００２】  車内の運転席で読書等をする場合、書物をハンドルの上面に置き、書物の両側や下部を手で持って読書をしていた。このため、長時間読書をしていると手が疲れる欠点があった。【０００３】  本考案に関連するアイデアとしては、昭和５０年６月２３日出願（実開昭５２−２７３０号）及び、平成２６年３月３日出願（実用新案登録第３１９０８８８号）等がある。【０００４】  上記考案の問題点としては、本体上に本を置いて読む場合、開いて置いた週刊誌や文庫本等が閉じようとするので、本の両端を持って読書をする必要があった。
【考案の概要】
【考案が解決しようとする課題】
【０００５】  本考案は、上記考案では補えなかった本等の両端を持つという動作を必要としない書見台を提供しようとするものである。
【課題を解決するための手段】
【０００６】  本考案は、簾状の書見台をハンドルの上部に固定して利用するものである。そして、ハンドル上に固定した本体の適宜の位置に、ページを止めるための用具を設けたものである。
【考案の効果】
【０００７】  本考案は、本体上に置いた本等を手で持たずに読書ができるので、長時間読書しても疲れにくい。又、使用後は書見台を巻いて小さくすることができるので、ダッシュボード等に設けた格納ケースに楽に納めることができる。
【図面の簡単な説明】
【０００８】
【図１】本考案の斜視図である。
【図２】本考案をハンドル上に固定し適宜位置に設けたページ止具を広げた状態にした斜視図である。
【図３】図２の書見台上に本を置いて両端をページ止具で固定した斜視図である。
【図４】ページ止具の部分的拡大側面図である。
【図５】別体としたページ止具の背面の拡大斜視図である。
【図６】図５のページ止具を本体に掛けて固定した部分的拡大側面図である。
【考案を実施するための最良の形態】
【０００９】  本考案は、簾状のもので本体を形成し、本体の上方適部に切欠窓を、下方に棚板を設け、本体の適宜の位置にページ止具を設けたものである。
【実施例】
【００１０】  図面について説明すると、図１は本考案の斜視図である。プラスチック、竹等の細棒を編んで簾状の本体１を作成する。本体１の上部より若干下がった適部に、長方形状の切欠窓２を設ける。そして、本体１の下部には、プラスチック等を利用したＬ字状の棚板３を固着する。尚、４は簾の編糸である。【００１１】  図２は、本体１を車内のハンドル５に固定した斜視図である。本体１の左右の巾は、ハンドルの巾、又は、若干短めが適当と思われる。本体１をハンドル５に固定するには、上部に設けた切欠窓２を、ハンドル５の上部にはめ込み、本体１の上端部を向こう側に垂らす。本体１の下部に設けた棚板３は、ハンドル５の下方に当たる位の位置が適当である。【００１２】  本体１の中央部よりやや下方の適宜の位置に、ページ止具６を設ける。ページ止具６の両端付近には、本の端部を固定する挟具７を設ける。【００１３】  ページ止具６及び挟具７は、スライドして左右方向に動かすことができる構造となっている。図２は、ページ止具６を両外方向にスライドさせた状態を示したものであり、図３は本体１に週刊誌等の書物８を置き、両端を挟具７で固定したものである。【００１４】  図４はページ止具６の構造を示したものである。Ｃ字形状の外体９の内方に同じくＣ字形状の内体１０を設け、更に内体１０の内方に挟具７を設けたものである。尚、外体９の上下は、編糸４により本体１に繋がっている。【００１５】  内体１０は中央部分で分離されており、外体９に沿って左右にスライドできるようになている。又、挟具７は内体１０の左右何れかを自由にスライドできるようにしてある。【００１６】  ページ止具６をこのような構造にすることにより、週刊誌のような大きな本も、文庫本のような小さな本も、挟具７、内体１０をスライドさせれば、その本の両端を上手く挟むことができる。尚、挟具７は、軸受、軸、スプリング等による挟み具構造であるがこれらの詳細は省略する。【００１７】  ページ止具６は本体１の適宜位置に設けているが、他の実施例として、図５に示すような方法も考える必要がある。即ち、本体１ａとページ止具６ａを別体として設けたものである。ページ止具６ａは、前記ページ止具６と同構造とし、背面の左右上方に掛片１１を設ける。図６は掛片１１を本体１ａの隙間に差し込んで固定したものである。【００１８】  ページ止具６ａを別体にすることにより、本体１ａの上下色々な位置に掛けて止めることができる。こうすることにより、大きな本も小さな本も、常にその両端中央部分を挟具７ａで挟み止めることができる。【００１９】  本考案を格納する場合は、棚板３の方から巻いて折畳めば小さくできる。又、別体として設けているページ止具６ａは、掛けたままの位置で巻いてもよく、外して棚板３の上に置いて巻き込んでも小さくなるので、車内の格納庫に楽に納めることができる。【００２０】１、１ａ  本体
２  切欠窓
３  棚板
４  編糸
５  ハンドル
６、６ａ  ページ止具
７、７ａ  挟具
８  書物
９  外体
１０  内体
１１  掛片
【図１】
0003205702.tif 000003
【図２】
0003205702.tif 000004
【図３】
0003205702.tif 000005
【図４】
0003205702.tif 000006
【図５】
0003205702.tif 000007
【図６】
0003205702.tif 000008